(57)【要約】 【課題】  ワイヤーの破損に対して作業者の安全性を確保でき、かつ、作業性にも優れた安全カバー付きのワイヤーソー切断装置を提供すること。【解決手段】  ワイヤーソー切断装置１は、無端状の切断用ワイヤー１０を用いて切断対象物を切断する装置であり、コンクリート構造物に固定されるベース２０、支柱３０、駆動プーリ４０、４個のガイドプーリ８０ａ〜８１ｂを備える。支柱３０に、これに交差する上部ブラケット５０及び下部ブラケット５１が接続されている。そして、上部ブラケット５０及び下部ブラケット５１のそれぞれの端部には、ホルダー６０ａ〜６１ｂが固定されており、安全カバー７０はこれらのホルダーによりが支持され、装置の上部及び側面を保護する。安全カバー７０は、ポリアミド繊維製の平面状シートであり、その表面にポケットを備えている。そして、ホルダー６０のカバープレートをポケットに差込むことで安全カバーが固定・支持される。【選択図】  図１
2006088301.tif 000002
【特許請求の範囲】
【請求項１】
切断対象物に掛け渡された状態で用いられる無端状の切断用ワイヤーと、該切断対象物に着脱可能な状態で固定されるベースと、該切断用ワイヤーに動力を与える駆動プーリと、該駆動プーリを保持し該ベースと直交する支柱と、を備えるワイヤーソー切断装置において、
前記支柱と交差する上部ブラケット及び下部ブラケットと、
前記上部ブラケット及び下部ブラケットの略両端部に取り付けられたホルダーと、
前記ホルダーにより支持され、装置の両側面、上部をカバーする耐衝撃性を有する樹脂製シートからなる安全カバーと、
を備えることを特徴とするワイヤーソー切断装置。
【請求項２】
ホルダーは、差込部を有するカバープレートと、該カバープレートを角度調整可能な状態で支持しつつブラケットに固定する固定部材とからなり、
安全カバーは、表面に、前記カバープレートの差込部を横方向から挿入可能なポケットを備え、
前記カバープレートを前記ポケットに挿入することにより、ホルダーが安全カバーを支持するようになっている請求項１記載のワイヤーソー切断装置。
【請求項３】
カバープレートの差込部は、断面が台形状、略コ字状、円形状に成形されている請求項２記載のワイヤーソー切断装置。
【請求項４】
安全カバーにポケットが連続して設置されている請求項２又は請求項３のいずれか１項に記載のワイヤーソー切断装置。
【請求項５】
安全カバーは、幅方向の両端に沿って孔が形成されており、該孔に紐が通されている請求項２〜請求項４のいずれか１項に記載のワイヤーソー切断装置。
【請求項６】
切断用ワイヤーの切断対象物側への送り出し位置の調節に用いられる送り側ガイドプーリと、切断対象物側からの戻り位置の調節に用いられる戻り側ガイドプーリと、を少なくとも１組備える請求項１〜請求項５のいずれか１項に記載のワイヤーソー切断装置。
【発明の詳細な説明】
【技術分野】
【０００１】
本発明は、各種コンクリート構造物、石材等の切断に用いられるワイヤーソー切断装置に関する。詳しくは、切断作業中のワイヤーからの飛散物、切断したワイヤーから作業者を保護するための安全カバーが設けられたワイヤーソー切断装置に関する。
【背景技術】
【０００２】
ビル、地下鉄あるいは地下街などの建造物の壁、床あるいは天井、橋脚、堤防または各種プラントその他のコンクリート構造物（鉄筋コンクリートを含む）、ヒューム管などのコンクリート二次製品を含むコンクリート製品、石材等の切断装置として、従来からワイヤーソー切断装置が用いられている。
【０００３】
一般的なワイヤーソー切断装置としては、例えば特許文献１記載のものがある。ワイヤーソー切断装置は、コンクリート構造物上に設置されるベースと、取付台に支持されたロッドと、ロッドに移動可能に装着されるワイヤー駆動装置（ケーブル駆動装置、自走台）と、ワイヤー駆動装置に設置された駆動プーリと、取付台に取着のブラケットに支持されたガイドプーリと、当該ガイドプーリ、ワイヤー（ケーブル）駆動プーリおよびコンクリート構造物に掛けられた状態で用いられる無端状の切断用ワイヤー（切削ケーブル）とからなる。この装置では、コンクリート構造物に無端状の切断用ワイヤーを掛け渡し、この状態でワイヤー駆動プーリを回転させることにより、切断用ワイヤーを循環走行させてコンクリート構造物を切断する。
【特許文献１】特開平７−１５８２９０号公報
【０００４】
ところで、ワイヤーソー切断装置による切断作業においては、衝撃により切断用ワイヤーからダイヤモンドビーズが飛散するおそれがある。また、作業中に切断用ワイヤーが破断して鞭のように飛び跳ねるおそれもある。これらダイヤモンドビーズの飛散、ワイヤーの飛び跳ねは事故の原因となりうるものであり、これらから作業者の安全を確保する必要がある。
【０００５】
従来から作業者の安全を図るために、装置周辺に防護用のカバーが設置されたワイヤーソー切断装置が知られている。このような装置としては、鋼板を製缶加工して形成される安全カバーを走行するワイヤーを包囲するように配したものや、角型の樋状に形成された安全カバーを装置の両側面に立設させたものがある。
【特許文献２】特開平５−３４６０６７号公報
【特許文献３】特開平８−２９６３３２号公報
【０００６】
かかる安全カバーを設けたワイヤーソー切断装置においては、ダイヤモンドビーズのような小片の衝突に対しては効果的である。しかしながら、破断したワイヤーの飛び跳ねに対しては、必ずしも有効なものではなかった。これは、ワイヤー衝突時の衝撃により、ワイヤーが更に破壊され、これと連通するダイヤモンドビーズが飛散し、この二次的な破損が事故原因となることが多いからである。
【０００７】
また、従来の安全カバーを設けたワイヤーソー切断装置では作業性においても問題があった。従来、安全カバーの材質としては硬度、強度において十分な鋼等の材料で製造することが一般的であった。そして、安全カバーは、できる限りワイヤーソー切断装置全体をカバーすること必要であることから、安全カバーは大型で大重量となる傾向にあった。そのため、従来の安全カバーは、現場への運搬及び現場での設置の際の取扱い性が困難であった。
【発明の開示】
【発明が解決しようとする課題】
【０００８】
そこで、本発明は、コンクリート切断作業時のワイヤーの破損に対して作業者の安全性を確保でき、かつ、作業性にも優れた安全カバー付きのワイヤーソー切断装置を提供することを目的とする。
【課題を解決するための手段】
【０００９】
このような課題を解決する本発明は、切断対象物に掛け渡された状態で用いられる無端状の切断用ワイヤーと、該切断対象物に着脱可能な状態で固定されるベースと、該切断用ワイヤーに動力を与える駆動プーリと、該駆動プーリを保持し該ベースと直交する支柱と、を備えるワイヤーソー切断装置において、前記支柱と交差する上部ブラケット及び下部ブラケットと、前記上部ブラケット及び下部ブラケットの略両端部に取り付けられたホルダーと、前記ホルダーにより支持され、装置の両側面、上部をカバーする耐衝撃性を有する樹脂製シートからなる安全カバーとを備えることを特徴とする。
【００１０】
本発明に係るワイヤーソー切断装置で使用される安全カバーは、耐衝撃性を有する樹脂製シートよりなる。破断して飛び跳ねるワイヤーが安全カバーで二次的に破壊するのは、ワイヤーがその際の衝撃の全てを受けるためである。そして、樹脂製シートは柔軟な素材であり、衝撃物に対して自ら変形することで、その衝撃を吸収することができる。従って、本発明で使用する樹脂製シートからなる安全カバーでは、破断したワイヤーが衝突しても、その衝撃の一部を吸収することからワイヤーの二次的破壊を抑制することができる。
【００１１】
また、樹脂は柔軟性に富み、鋼等の金属材料に比べて軽量である。従って、保護シートの運搬時に、コンパクトに畳んで容易に運ぶことができ、現場での設置に際しても作業性を害することがない。
【００１２】
そして、安全カバーを構成する耐衝撃性を有する樹脂としては、アラミド繊維（芳香族ポリアミド繊維）、ポリアリレート繊維、ポリエチレン繊維製のシートが挙げられる。これらの繊維樹脂は、耐衝撃性が良好であり、ワイヤーの衝突の他、ダイヤモンドビーズのような小片の衝突に際しても切れ、破れを生じさせることがない。
【００１３】
安全カバーをワイヤーソー切断装置に取り付ける際には、安全カバーがワイヤーソー切断装置の可動部（ワイヤー、駆動プーリ等）に接触しないようにする必要がある。ワイヤーソー切断装置の周囲にフレーム（骨組み）を形成し、これにより安全カバーをテント状に支持させることも考えられるが、これでは切断現場においてワイヤーソー切断装置の組み立ての他に安全カバー用のフレームの組み立てが必要になり作業を煩雑とする。また、ワイヤーソー切断装置と独立して安全カバーを設置した場合、作業現場の振動、風等により安全カバーが移動しワイヤーソー切断装置に接触するおそれがある。
【００１４】
そこで、本発明では、安全カバーの支持のため、支柱の上下に２本のブラケットを設け、これらのブラケットのほぼ両端に安全カバーを支持するホルダーを取り付けることとした。ワイヤーソー切断装置において、支柱はベースという切断作業時に不動の部材に取り付けられていることから、この支柱を基準として安全カバー取り付けのための部材を構成することで、ワイヤーソー切断装置への安全カバーの接触を避けつつ、作業性良く安全カバーを取り付けることができる。尚、本発明においては、上下各ブラケットの略両端に１つずつ計４個のホルダーを少なくとも備えるが、設置するホルダーの数はこれ以上でも良い。例えば、ブラケットの中央部にホルダーを設置し、安全カバーの支持を補足的に行なっても良い。また、安全カバーの支持状態としては、左側面の安全カバーは上部、下部ブラケットの左端のホルダーが支持し、右側面の安全カバーは上部、下部ブラケットの右端のホルダーが支持し、そして、装置上部の安全カバーは、上部ブラケットの両端のホルダーが安全カバーを支持するようになっているものが好ましい。但し、このように安全カバーが２つのホルダーにより支持されていなくても、１つのホルダーで支持されていても良い（例えば、側面のホルダーを上部ブラケットのホルダーのみが支持していても良い）。更に、本発明においては、少なくとも両側面に安全カバーを設けるのが好ましい。
【００１５】
そして、安全カバーの支持構造としては、安全カバー取り付けの作業性確保のため、差込式とするのが好ましい。具体的には、ホルダーを、差込部を有するカバープレートと、カバープレートを支持しブラケットに固定させるための固定部材とで構成する一方、安全カバーの表面にカバープレートを挿入可能なポケットを設けたものとする。この際、ホルダーのカバープレートと固定部材とは角度調節可能な状態で接合するのが好ましい。
【００１６】
カバープレートは、その差込部の断面が台形状、コ字状、円形状となるように形成したものが好ましい。これにより、カバープレート差込後の安全カバーを平面から立体的なものとすることができる。保護シートを立体的にすることで、ワイヤーの保護範囲を広範なものとすることができ、更に、カバープレートが保護シートから外れることを防止することができる。
【００１７】
そして、安全カバーのポケットは、複数を連続的に形成するのが好ましい。ワイヤーソー切断装置は、切断対象の大きさに応じて駆動プーリの位置や後述するガイドプーリの数及び位置等、その構成を変更して使用されるため、装置全体の大きさも変化する。従って、ブラケットに取り付けられたホルダーの間隔も変化する。そこで、ポケットを複数連続的に形成しておき、ホルダーの間隔に応じた位置にカバープレートを挿入できるようにすることで、複数の長さの安全カバーを用意することなく１種類の安全カバーで対応可能となる。尚、安全カバーがホルダーの間隔より長くその端が余るような場合、本発明の安全カバーは柔軟性のあるものであるから、余った部分を巻回して畳むことができ、作業の邪魔になるようなことはない。
【００１８】
また、安全カバーは、幅方向の両端に沿って孔が形成され、この孔に紐を通したものが好ましい。上述のように、カバープレートの差込部を断面台形状等とすることで、カバープレート差込後の安全カバーの形状は立体的に変形するが、両端で安全カバーを変形させても、その中央部付近では変形されないことが多い。そこで、安全カバーの両端に紐を通しておき、カバープレート挿入後、紐を両側から引張ることで安全カバー全体の成形を図ることができる。この紐は片方の端部で安全カバーに固定されていても良い。
【００１９】
本発明に係るワイヤーソー切断装置は、上記説明した安全カバーの構成及びその支持構造に特徴を有し、その他の部分においては特に限定されることはなく、従来のワイヤーソー切断装置が適用できる。即ち、切断用ワイヤー、切断対象物に固定されるベース、駆動プーリ、支柱の形式、構造においては特に限定されることはない。また、ワイヤーソー切断装置は、一般に、切断用ワイヤーの切断対象物側への送り出し位置の調節に用いられる送り側ガイドプーリと、切断対象物側から装置側への戻り位置の調節に用いられる戻り側ガイドプーリとを少なくとも一組備えるものが多い。これらガイドプーリを備えていると、切断用ワイヤーの走行状態がより安定するという利点があるが、本発明においてもガイドプーリを備えていても良い。
【００２０】
尚、ガイドプーリを設置する際には、これらを上部及び／又は下部ブラケットに固定しても良い。また、支柱を追加してこれにガイドプーリを固定しても良い。
【発明の効果】
【００２１】
以上説明した本発明によれば、コンクリート切断作業時のワイヤーの破損に対して作業者の安全性を確保できる。また、本発明で使用される安全カバーは、軽量で柔軟性を有することから取り付け時の作業性にも優れている。
【発明を実施するための最良の形態】
【００２２】
以下、本発明に係るワイヤーソー切断装置（以下、単に「装置」と称することがある）の好適な実施形態を図面を参照しつつ説明する。
【００２３】
図１は、本実施形態に係るワイヤーソー切断装置を示す。図１において、ワイヤーソー切断装置１は、無端状の切断用ワイヤー１０を用いて切断対象物であるコンクリート構造物（図示せぬ）を切断する装置であり、コンクリート構造物に固定されるベース２０を有する。ベース２０には、支柱３０がベース２０に直立して設けられている。また、支柱３０には、切断用ワイヤー１０の駆動プーリ４０と、駆動プーリ４０を回転させるプーリ駆動モータ４１が設置されている。
【００２４】
支柱３０には、これに交差するように上部ブラケット５０及び下部ブラケット５１が接続されている。そして、上部ブラケット５０及び下部ブラケット５１のそれぞれの端部には、ホルダー６０ａ、６０ｂ、６１ａ、６１ｂが固定されており、安全カバー７０はこれらのホルダーによりが支持され、装置の上部及び側面を保護している。
【００２５】
また、本実施形態に係るワイヤーソー切断装置１は、４個のガイドプーリを備えている。スライドブロック８２を介して支柱３０に位置変更可能な状態でガイドプーリ８０ａと８０ｂが取り付けられている。また、下部ブラケット５１には、ガイドプーリ８１ａと８１ｂが取り付けられている。本実施形態では、ガイドプーリ８０ａ、８１ａが戻り側プーリとなっており、ガイドプーリ８０ｂ、８１ｂが送り側プーリとなっている。但し、これらのガイドプーリの機能（戻り側であるか送り側であるか）は、切断現場の状況に応じて回転方向を切換えることにより変更可能である。
【００２６】
図２（ａ）は、安全カバー７０の外観を示す図である。安全カバー７０は、ポリアミド繊維製の平面状シートであり、その表面にポケット７１を備えている。このポケット７１は等間隔のものが連続的に形成されている。また、保護シート７０の両端部に沿って長手方向で貫通する孔７２が形成されており、この孔７２には紐７３が通されている。また、図からわかるように、この安全カバー７０は、運搬時の便宜等のために端から巻回することができる。本実施形態の安全カバー７０の形成は、図２（ｂ）のように、１枚のシートの一端を筒状に縫合して小径の穴（筒）を形成した後、片側で折り返して２つ折りして２重構造とし、これを適宜縫合することでポケットを形成している。尚、安全カバーのポケットの態様としては、この他、１枚のシートに別のシートでパッチポケットのようにポケットを形成しても良い。
【００２７】
図３は、ホルダー６０（６１）の構造を示す図である（図３（ａ）は外観図であり、図３（ｂ）はその側面図である。）。ホルダー６０（６１）は、安全カバーに挿入されるカバープレート６３と、カバープレート６３をブラケット５０（５１）へ固定するための固定部材６２からなる。固定部材６２は、ホルダー６０をブラケット５０（５１）へ固定するためのナット６２ａとボルト６２ｂ、プレート６２ｃ、及び、カバープレート６３とブラケットとの間隔を形成するためのスペーサー６２ｄとからなる。プレート６２ｃは、ブラケット５０（５１）と当接する面にブラケットの形状に対応する凹部が形成されており、ブラケットへしっかり固定できるようになっている。また、ボルト６２ｂは、プレート６２ｃへ溶接され固定されている。更に、スペーサー６２ｄも、プレート６２ｃに溶接されており完全に固定されている。そして、固定部材６２（のスペーサー６２ｄ）とカバープレート６３とは角度調整可能な状態で接合されている。一方、カバープレート６３は、帯状の板材を加工して形成されるものであり、差込部６４を有する。この差込部６４は、断面台形状に屈折成形されている。
【００２８】
次に、以上説明した本実施形態に係るワイヤーソー切断装置１の作業現場における組立工程を説明する。まず、切断対象物上にベース２０を固定し、ベース２０に支柱３０を取り付けた後、下部ブラケット５１を固定する。そして、スライドブロック８２を支柱３０に取り付けて上部ブラケット５０を固定する。このように骨組みとなる部材を組み込んだ後、駆動プーリ４０、ガイドプーリ８０ａ〜８１ｂを取り付けてワイヤーソー切断装置の主要部分の組み立てを完了させる。
【００２９】
そして、上下のブラケット５０、５１の両端部にホルダー６０ａ〜６１ｂを取り付ける。ホルダー６０（６１）の取り付けは、ホルダー６０（６１）のプレート６２ｃの凹部とブラケットとを嵌合させて、ナット６２ａ及びボルト６２ｂにてしっかり固定して行う。この際、カバープレート６３の角度の調整も行う。図４は、ホルダー６０ａ〜６１ｂ取り付け後の装置の外観を示す。
【００３０】
安全カバーの取り付けは、ホルダーのカバープレート６３を安全カバー７０のポケット７１に挿入して行う。この際、カバープレート６３を変形させないように、安全カバーの形状を調整しながら取り付ける。図５は、カバープレート差込後の安全カバーの状態を示す。そして、この作業を両側のポケットについて行い、紐７３を両側から引っ張ることで、ホルダー間の安全カバーの形状を整える。
【００３１】
以上の作業により、ワイヤーソー切断装置の組み立て、安全カバーの取り付けが完了する。組み立て作業完了後は、通常のワイヤーソー切断装置の操作法にて切断作業を行うことができる。
【００３２】
図６は、本発明の他の実施形態を示すものである。これらの実施形態では、基本的構成は上記実施形態と同様であり、ガイドプーリの数を６個（図６（ａ））及び１０個（図６（ｂ））に変更したものである。このような構成の変更は、切断対象物の種類、サイズにより適宜になされ、これにより装置の横幅やワイヤーの角度が変化するが、本発明では、安全カバーに複数のポケットを設け、ホルダーのカバープレートを任意の角度に調整可能とすることで、これらの装置構成の変更にも対応可能となっている。また、安全カバーの長さが長くなる場合、図６（ｂ）のように、ブラケットの中央部にホルダー（６０ｃ）を追加して設置することで、安全カバー７０の弛みを防止することもできる。
【図面の簡単な説明】
【００３３】
【図１】本実施形態に係るワイヤーソー切断装置を概略示す図。
【図２】本実施形態で使用する安全カバーの外観及び断面を示す図。
【図３】本実施形態で使用するホルダーの外観及び側面を示す図。
【図４】ホルダー取り付け後のワイヤーソー切断装置の外観を示す図。
【図５】カバープレート差込後の安全カバーの外観を示す図。
【図６】本発明の他の実施形態を示す図。
【符号の説明】
【００３４】
１  ワイヤーソー切断装置
１０  切断用ワイヤー
２０  ベース
３０  支柱
４０  駆動プーリ
４１  プーリ駆動モータ
５０  上部ブラケット
５１  下部ブラケット
６０ａ〜６１ｂ  ホルダー
７０  安全カバー
８０ａ〜８１ｂ  ガイドプーリ
【図１】
2006088301.tif 000003
【図２】
2006088301.tif 000004
【図３】
2006088301.tif 000005
【図４】
2006088301.tif 000006
【図５】
2006088301.tif 000007
【図６】
2006088301.tif 000008